(57)【要約】【課題】商品等に貼り付けて用いられるラベルから、目視可能な印刷以外の情報を取得することができる情報処理システム、ラベル、情報処理方法、情報処理プログラムを提供する。【解決手段】情報処理システム１００は、印刷が行われている印刷面１０ａを有するラベル１０と、被着体に貼り付けられたラベル１０の印刷面１０ａの印刷内容１０ｂを取り込み、コード化された可視情報を利用せずに、印刷内容１０ｂから情報を取得する情報取得部２１と、情報取得部２１が取得した情報を用いて所定の処理を行う処理部２４とを備える。【選択図】図１
2015005223.tif 000002
【特許請求の範囲】
【請求項１】
印刷が行われている印刷面を有するラベルと、
被着体に貼り付けられた前記ラベルの前記印刷面の印刷内容を取り込み、コード化された可視情報を利用せずに、前記印刷内容から情報を取得する情報取得部と、
前記情報取得部が取得した情報を用いて所定の処理を行う処理部と、
を備える情報処理システム。
【請求項２】
請求項１に記載の情報処理システムにおいて、
前記情報取得部は、前記印刷面の印刷内容に含まれる電子透かしを利用して情報を取得すること、
を特徴とする情報処理システム。
【請求項３】
請求項１に記載の情報処理システムにおいて、
前記情報取得部は、前記印刷面の印刷内容をパターン認識して情報を取得すること、
を特徴とする情報処理システム。
【請求項４】
請求項１から請求項３までのいずれか１項に記載の情報処理システムにおいて、
前記処理部とは別に設けられたサーバを備え、
前記処理部は、取得した情報をサーバに送信し、
前記サーバは、前記処理部から送信された情報に応じた第２の情報を前記処理部へ送信し、
前記処理部は、前記サーバから送信された第２の情報を用いて、さらに処理を行うこと、
を特徴とする情報処理システム。
【請求項５】
請求項１から請求項４までのいずれか１項に記載の情報処理システムにおいて、
前記ラベルは、被着体に対して貼り付けられた状態で、前記情報取得部により印刷内容が取り込まれること、
を特徴とする情報処理システム。
【請求項６】
印刷面に不可視な状態で情報を含み、
請求項１から請求項５までのいずれか１項に記載の情報処理システムに用いられるラベル。
【請求項７】
情報取得部によって、被着体に貼り付けられたラベルに設けられた印刷が行われている印刷面の印刷内容を取り込み、コード化された可視情報を利用せずに、前記印刷内容から情報を取得するステップと、
前記情報取得部が取得した情報を用いて処理部によって所定の処理を行うステップと、
を備える情報処理方法。
【請求項８】
コンピュータに、
情報取得部によって、被着体に貼り付けられたラベルに設けられた印刷が行われている印刷面の印刷内容を取り込み、コード化された可視情報を利用せずに、前記印刷内容から情報を取得させるステップと、
前記情報取得部が取得した情報を用いて処理部によって所定の処理を行うステップと、
を実行させるための情報処理プログラム。
【発明の詳細な説明】
【技術分野】
【０００１】
本発明は、商品等に貼り付けて用いられるラベルから情報を取得することができる情報処理システム、ラベル、情報処理方法、情報処理プログラムに関するものである。
【背景技術】
【０００２】
従来から、ラベルにバーコードを印刷しておき、このバーコードを読み取ることにより、情報を取得し、その情報を用いて各種処理を行う技術が知られている（例えば、特許文献１）。
【先行技術文献】
【特許文献】
【０００３】
【特許文献１】特開２００２−２７９２６８号公報
【発明の概要】
【発明が解決しようとする課題】
【０００４】
しかし、バーコードは、目視可能な可視情報であり、しかも、白と黒のパターンであることから、商品等に貼り付けられた場合に、美観を損ないやすいという問題があった。
また、バーコードは、情報が埋め込まれていること、及び、その位置が、一目見てわかることから、比較的偽造が容易であるという問題があった。
【０００５】
本発明の課題は、商品等に貼り付けて用いられるラベルから、目視可能な印刷以外の情報を取得することができる情報処理システム、ラベル、情報処理方法、情報処理プログラムを提供することである。
【課題を解決するための手段】
【０００６】
本発明は、以下のような解決手段により、前記課題を解決する。
【０００７】
請求項１の発明は、印刷が行われている印刷面を有するラベルと、被着体に貼り付けられた前記ラベルの前記印刷面の印刷内容を取り込み、コード化された可視情報を利用せずに、前記印刷内容から情報を取得する情報取得部と、前記情報取得部が取得した情報を用いて所定の処理を行う処理部と、を備える情報処理システムである。
【０００８】
請求項２の発明は、請求項１に記載の情報処理システムにおいて、前記情報取得部は、前記印刷面の印刷内容に含まれる電子透かしを利用して情報を取得すること、を特徴とする情報処理システムである。
【０００９】
請求項３の発明は、請求項１に記載の情報処理システムにおいて、前記情報取得部は、前記印刷面の印刷内容をパターン認識して情報を取得すること、を特徴とする情報処理システムである。
【００１０】
請求項４の発明は、請求項１から請求項３までのいずれか１項に記載の情報処理システムにおいて、前記処理部とは別に設けられたサーバを備え、前記処理部は、取得した情報をサーバに送信し、前記サーバは、前記処理部から送信された情報に応じた第２の情報を前記処理部へ送信し、前記処理部は、前記サーバから送信された第２の情報を用いて、さらに処理を行うこと、を特徴とする情報処理システムである。
【００１１】
請求項５の発明は、請求項１から請求項４までのいずれか１項に記載の情報処理システムにおいて、前記ラベルは、被着体に対して貼り付けられた状態で、前記情報取得部により印刷内容が取り込まれること、を特徴とする情報処理システムである。
【００１２】
請求項６の発明は、印刷面に不可視な状態で情報を含み、請求項１から請求項５までのいずれか１項に記載の情報処理システムに用いられるラベルである。
【００１３】
請求項７の発明は、情報取得部によって、被着体に貼り付けられたラベルに設けられた印刷が行われている印刷面の印刷内容を取り込み、コード化された可視情報を利用せずに、前記印刷内容から情報を取得するステップと、前記情報取得部が取得した情報を用いて処理部によって所定の処理を行うステップと、を備える情報処理方法である。
【００１４】
請求項８の発明は、コンピュータに、情報取得部によって、被着体に貼り付けられたラベルに設けられた印刷が行われている印刷面の印刷内容を取り込み、コード化された可視情報を利用せずに、前記印刷内容から情報を取得させるステップと、前記情報取得部が取得した情報を用いて処理部によって所定の処理を行うステップと、を実行させるための情報処理プログラムである。
【発明の効果】
【００１５】
本発明によれば、商品等に貼り付けて用いられるラベルから、目視可能な印刷以外の情報を取得することができる。
【図面の簡単な説明】
【００１６】
【図１】本発明による情報処理システムの第１実施形態を示す図である。
【図２】第１実施形態の情報処理システム１００の動作の流れを示すフローチャートである。
【発明を実施するための形態】
【００１７】
以下、本発明を実施するための最良の形態について図面等を参照して説明する。
【００１８】
（第１実施形態）
図１は、本発明による情報処理システムの第１実施形態を示す図である。
なお、図１を含め、以下に示す各図は、模式的に示した図であり、各部の大きさ、形状は、理解を容易にするために、適宜誇張して示している。
また、以下の説明では、具体的な形態等を示して説明を行うが、これらは、適宜変更することができる。
【００１９】
情報処理システム１００は、ラベル１０と、携帯端末２０と、サーバ３０とを備えている。
【００２０】
ラベル１０は、商品Ｃ等を被着体として貼り付けられて用いられる。図１の例では、ラベル１０は、ボトルを被着体として貼り付けられている。ラベル１０の表面は、印刷面１０ａとなっており、印刷内容１０ｂが印刷されている。なお、本実施形態の印刷内容１０ｂは、「ＳＡＴＯ  Ｓａｌａｄ  Ｄｒｅｓｓｉｎｇ」と文字が印刷されているが、印刷内容１０ｂは、文字に限らず、図柄や写真等が含まれていてもよい。本実施形態では、印刷内容１０ｂには、電子透かしにより、情報が埋め込まれている。また、図１の例では示していないが、本情報処理システム１００に対応したラベルであることを示すマークを印刷内容１０ｂに含めてもよい。
【００２１】
携帯端末２０は、外部のサーバ３０と通信が可能な端末である。携帯端末２０は、情報取得部２１と、処理部２４とを備えている。
【００２２】
情報取得部２１は、商品Ｃに貼り付けられたラベル１０の印刷内容１０ｂを取り込み、バーコード等のコード化された可視情報を利用せずに、印刷内容１０ｂから情報を取得する。
情報取得部２１は、カメラ２２と、抽出部２３とを備えている。
【００２３】
カメラ２２は、ラベル１０の印刷内容１０ｂを撮影してデータとして取り込む。
【００２４】
抽出部２３は、カメラ２２によりデータとして取り込まれた印刷内容１０ｂから、バーコード等のコード化された可視情報を利用せずに、情報を取得する。本実施形態の抽出部２３は、印刷内容１０ｂに含まれる電子透かしを利用して情報を取得する。具体的には、本実施形態の印刷内容１０ｂには、目視では認識不可能な形態で、コード化された情報が埋め込まれている。そして、抽出部２３は、データとして取り込まれた印刷内容１０ｂに埋め込まれているコード化された情報を抽出する。
【００２５】
処理部２４は、情報取得部２１が取得した情報を用いて所定の処理を行う。本実施形態では、処理部２４は、取得した情報をサーバ３０に送信し、サーバ３０から送信された第２の情報を用いて、さらに処理を行う。より具体的には、例えば、取得した情報は、ラベル１０に固有の番号等とし、処理部２４は、この番号をサーバ３０に送信する。次に、サーバ３０からは、上記番号に対応する第２の情報、例えば、ＵＲＬ等が処理部２４に返される。この第２の情報を受け取った処理部２４は、第２の情報として得たＵＲＬのインターネットサイトへ接続を行う。
【００２６】
なお、携帯端末２０としては、例えば、スマートフォン等を用いることができる。スマートフォンを用いる場合には、スマートフォンに搭載されているカメラを用いて、情報取得部２１及び処理部２４としてコンピュータを機能させることができるアプリケーションをインストールして実行するとよい。
【００２７】
サーバ３０は、携帯端末２０とネットワークＮを介して通信可能に設けられている。サーバ３０には、予め、ラベル１０の印刷内容１０ｂに埋め込まれている情報と、この情報に対応した第２の情報とが関連付けられて記憶されている。例えば、上述したように、印刷内容１０ｂに埋め込まれている情報がラベル１０に固有の番号であり、上記番号に対応する第２の情報は、例えば、特定のインターネットサイトのアドレスを示すＵＲＬである。サーバ３０には、これらが関連付けられて記憶されている。
サーバ３０は、処理部２４から送信された情報に応じた第２の情報を処理部２４へ送信する。
【００２８】
次に、本実施形態の情報処理システム１００の動作の流れを説明する。
図２は、第１実施形態の情報処理システム１００の動作の流れを示すフローチャートである。図２中の左側には、サーバ３０の動作を示しており、右側には、携帯端末２０の動作を示している。
【００２９】
Ｓ１０では、携帯端末２０は、カメラ２２を用いて印刷面１０ａの撮影を行って、印刷内容１０ｂをデータとして取り込む。
【００３０】
Ｓ２０では、携帯端末２０は、Ｓ１０において取り込んだ印刷内容１０ｂに含まれる電子透かしから、情報の抽出を行う。
【００３１】
Ｓ３０では、携帯端末２０は、Ｓ２０において情報の抽出に成功したことを受けて、情報抽出が成功したことを示す表示を、不図示の表示部に行う。なお、Ｓ２０において情報の抽出ができなかったときには、エラー処理を行う。
【００３２】
Ｓ４０では、携帯端末２０は、取得した情報をサーバ３０へネットワークＮを介して送信する。
【００３３】
Ｓ５０では、サーバ３０は、携帯端末２０から情報を受信する。
【００３４】
Ｓ６０では、サーバ３０は、受信した情報が、本システムにより対応している適正な情報であるか否かを確認した後、受信した情報に関連付けられて記憶されている第２の情報を選択する。
【００３５】
Ｓ７０では、サーバ３０は、Ｓ６０において選択した第２の情報を携帯端末２０へネットワークＮを介して送信する。
【００３６】
Ｓ８０では、携帯端末２０は、サーバ３０から第２の情報を受信する。
【００３７】
Ｓ９０では、携帯端末２０は、サーバ３０から受信した第２の情報に応じて、所定の処理を実行する。例えば、受信した第２の情報がＵＲＬである場合には、該当するインターネットサイトのサイトを表示し、終了する。
【００３８】
以上説明したように、第１実施形態によれば、ラベル１０の印刷内容１０ｂに電子透かしを含めた。そして携帯端末２０により電子透かしから情報を取得する。よって、ラベル１０の印刷内容１０ｂには、情報が目視不可能な形態で情報が埋め込まれており、商品等に貼り付けられても、美観を損なうことがない。また、情報が埋め込まれていることが一見しただけではわからないので、情報の埋め込みを秘匿したい場合には、安全性が高い。一方で、情報がラベル１０に埋め込まれていることを告知しておけば、ラベル１０を取り込むだけで簡単に情報の取得が可能である。よって、特に、被着体がパンフレットやカタログのように、多くの表示面がある場合であっても、ラベル１０が貼り付けられていることにより、情報の取り込み位置を容易に示すことができる。
【００３９】
（第２実施形態）
第２実施形態は、ラベル１０の印刷内容１０ｂと、情報の取得方法が異なる他は、第１実施形態と同様である。よって、前述した第１実施形態と同様の機能を果たす部分には、同一の符号を付して、重複する説明を適宜省略する。
【００４０】
第２実施系形態では、印刷内容１０ｂに電子透かしの埋め込みは行わない。電子透かしに代わり、第２実施形態では、印刷内容１０ｂをパターンとして予め登録しておき、パターン認識によって、情報との紐付けを行う。
【００４１】
第２実施系形態の印刷内容１０ｂには、第１実施形態のような電子透かしは含まれていないので、第２実施系形態の印刷内容１０ｂは、パターン認識が可能で有れば、どのようなものであってもよい。
【００４２】
第２実施形態の抽出部２３は、カメラ２２によりデータとして取り込まれた印刷内容１０ｂをパターン認識し、予め登録されているパターンと照合して、いずれのパターンが印刷内容１０ｂと一致するのかを特定する。そして、登録されているパターンに関連付けられて記憶されている情報を取得する。本情報処理システムに対応するパターンは、携帯端末２０に記憶されているが、新しいパターンの追加や変更は、サーバ３０から携帯端末２０に対して行うことができる。
【００４３】
なお、本実施形態では、このパターンの登録は、携帯端末２０に登録されている。しかし、通信速度の点で問題がなければ、抽出部２３の機能をサーバ３０内に設けるようにして、携帯端末２０からは、印刷内容１０ｂの画像データをサーバ３０に送信して、サーバ３０においてパターン認識を行うようにしてもよい。その場合には、携帯端末２０にパターンを記憶しておく必要がなく、対応するパターンの追加や変更をより簡単に行える。
【００４４】
以上説明したように、第２実施形態によれば、情報の抽出にパターン認識を用いるので、ラベル１０自体には、特殊な印刷が不要である。よって、既存のラベルであっても、本情報処理システムに利用することができる。
【符号の説明】
【００４５】
１０    ラベル
１０ａ  印刷面
１０ｂ  印刷内容
２０    携帯端末
２１    情報取得部
２２    カメラ
２３    抽出部
２４    処理部
３０    サーバ
１００  情報処理システム
Ｃ      商品
Ｎ      ネットワーク
【図１】
2015005223.tif 000003
【図２】
2015005223.tif 000004